(57)【要約】【課題】建物の断熱性を向上させつつ外壁パネルを安定して支持することができる外壁パネルの支持金具及びこれを備えた建物の外壁構造を得る。【解決手段】間柱４８が、支持金具５０の支持部５２によって当該天井大梁２２及び当該床大梁３２に対して建物上下方向に離間して配置されるように支持されている。このため、間柱４８と天井大梁２２及び床大梁３２との接触面積を少なくすることができる。また、支持金具５０の支持部５２が間柱４８に沿って延在しており、当該支持部５２に一体的に設けられると共に当該間柱４８の上方側又は下方側に配置される固定部５４が、天井大梁２２のウェブ部２２Ｂ又は床大梁３２のウェブ部３２Ｂに固定されている。このため、支持部５２における外壁パネル４２の自重が作用する方向と当該支持部５２の延在方向が一致し、当該支持部５２に曲げ応力が発生するのを抑制することができる。【選択図】図１
2015161090.tif 000002
【特許請求の範囲】
【請求項１】
建物の外壁パネルの骨格を構成すると共に天井大梁と床大梁との間に納まり建物上下方向に沿って延在する間柱を当該天井大梁及び当該床大梁に対して建物上下方向に離間して配置されるように支持し、当該間柱に沿って延在する支持部と、
前記支持部に一体に設けられ、前記間柱の上方側又は下方側に配置されると共に前記天井大梁又は前記床大梁における屋外側に面する固定面部に固定される固定部と、
を有する外壁パネルの支持金具。
【請求項２】
前記支持部は、前記外壁パネルとその厚さ方向に対向する正面壁部と、当該正面壁部の側縁部に直交して一体に設けられた側壁部と、を含んで当該支持部における前記固定部側を構成する補強部と、当該側壁部から当該固定部と反対側に延出し、前記間柱の端部に取り付けられる脚部と、を有する、
請求項１記載の外壁パネルの支持金具。
【請求項３】
前記固定部は、前記固定面部に面接触した状態で配置される固定壁部と、前記支持部の当該固定部側の端部に接合された支持部側壁部と、当該固定壁部及び当該支持部側壁部の前記外壁パネルの幅方向における端部に接合された補強壁部と、を含んで構成される、
請求項１又は請求項２記載の外壁パネルの支持金具。
【請求項４】
前記支持部は、前記外壁パネルの厚さ方向に対向する正面壁部と、当該正面壁部の側縁部に直交して一体に設けられた一対の側壁部と、を含んで平断面視でコ字状に形成され、当該支持部における前記固定部側を構成する補強部と、当該側壁部から当該固定部と反対側に延出し、前記間柱の端部を挟持する一対の脚部と、を有すると共に、
前記固定部は、前記固定面部に面接触した状態で配置される固定壁部と、前記支持部の当該固定部側の端部に接合された支持部側壁部と、当該固定壁部及び当該支持部側壁部の前記外壁パネルの幅方向における端部に接合された一対の補強壁部と、を含んで構成される、
請求項１記載の外壁パネルの支持金具。
【請求項５】
前記支持部は、前記外壁パネルの厚さ方向に対向する正面壁部と、当該正面壁部の何れか一方の側縁部に直交して一体に設けられた側壁部と、を含んで平断面視でＬ字状に形成され、当該支持部における前記固定部側を構成する補強部と、当該側壁部から当該固定部と反対側に延出し、前記間柱の端部に取り付けられる脚部と、を有すると共に、
前記固定部は、前記固定面部に面接触した状態で配置される固定壁部と、前記支持部の当該固定部側の端部に接合された支持部側壁部と、当該固定壁部及び当該支持部側壁部における当該側壁部側の端部に接合された補強壁部と、を含んで構成される、
請求項１記載の外壁パネルの支持金具。
【請求項６】
前記外壁パネルの裏面側に当該外壁パネルの幅方向に所定の間隔をあけて配置された複数の前記間柱と、
複数の前記間柱の上端部及び下端部にそれぞれ設けられ、前記支持部によって当該間柱を前記天井大梁及び前記床大梁に対して建物上下方向に離間して配置されるように支持すると共に、前記固定部が当該天井大梁又は当該床大梁の前記固定面部に固定された請求項１〜請求項５の何れか１項に記載の外壁パネルの支持金具と、
前記天井大梁、前記床大梁及び前記間柱のうち少なくとも１つからの伝熱を抑制する伝熱抑制手段と、
を有する建物の外壁構造。
【請求項７】
前記外壁パネルの当該外壁パネルの幅方向における端部以外の部分に配置された前記間柱の上端部と当該間柱の下端部とには請求項４記載の支持金具が設けられている、
請求項６記載の建物の外壁構造。
【請求項８】
隣接した前記外壁パネルのうち一方の前記外壁パネルにおける他方の前記外壁パネル側の端部に配置された前記間柱の上端部と当該他方の前記外壁パネルにおける当該一方の前記外壁パネル側の端部に配置された前記間柱の下端部とには請求項５に記載の第１の支持金具が設けられると共に、
当該他方の前記外壁パネルにおける当該一方の前記外壁パネル側の端部に配置された前記間柱の上端部と当該一方の前記外壁パネルにおける当該他方の前記外壁パネル側の端部に配置された前記間柱の下端部とには請求項５に記載の第２の支持金具が設けられており、
当該第２の支持金具は、当該一方の前記外壁パネルと当該他方の前記外壁パネルとの境界に対して当該第１の支持金具と対称に構成されている、
請求項６又は請求項７記載の建物の外壁構造。
【請求項９】
前記支持金具における前記支持部が、前記固定面部に対して屋外側に所定の間隔をあけて配置されると共に、
前記伝熱抑制手段は、前記固定面部と前記支持部との間に配設された断熱材を含んで構成された、
請求項６〜請求項８の何れか１項に記載の建物の外壁構造。
【請求項１０】
前記伝熱抑制手段は、前記天井大梁及び前記床大梁よりも熱伝導率の小さい部材から成る複数の前記間柱を含んで構成された、
請求項６〜請求項９の何れか１項に記載の建物の外壁構造。
【請求項１１】
前記伝熱抑制手段は、前記固定面部と前記固定部との間に介在する断熱材を含んで構成された、
請求項６〜請求項１０の何れか１項に記載の建物の外壁構造。
【請求項１２】
前記建物の躯体を構成する柱に当該柱と近接して配置された前記間柱を取り付ける取付手段を有する、
請求項６〜請求項１１の何れか１項に記載の建物の外壁構造。
【発明の詳細な説明】
【技術分野】
【０００１】
本発明は、外壁パネルの支持金具及びこれを備えた建物の外壁構造に関する。
【背景技術】
【０００２】
下記特許文献１には、外壁構造に関する発明が開示されている。この外壁構造では、鉄骨梁のフランジ部分にブラケット（支持金具）が溶接されており、当該ブラケットに断熱材を介して外装材（外壁パネル）を取り付けるための縦胴縁が固定されている。これにより、ブラケットと縦胴縁との間の熱の移動が抑制され、ひいては鉄骨梁と当該縦胴縁との間の熱の移動が抑制される。その結果、建物の断熱性を向上させることができる。
【先行技術文献】
【特許文献】
【０００３】
【特許文献１】特開２００２−０３８６３１号公報（図１）
【発明の概要】
【発明が解決しようとする課題】
【０００４】
しかしながら、上記特許文献１に開示された外壁構造では、鉄骨梁に設けられたブラケットが屋外側に向けて延出されると共に、当該ブラケットの先端部に縦胴縁が取り付けられている。このため、ブラケットに縦胴縁及び外装材の自重による曲げ応力が発生し、当該縦胴縁及び当該外装材を安定して支持することが困難となることがある。
【０００５】
本発明は上記事実を考慮し、建物の断熱性を向上させつつ外壁パネルを安定して支持することができる外壁パネルの支持金具及びこれを備えた建物の外壁構造を得ることが目的である。
【課題を解決するための手段】
【０００６】
請求項１に記載の発明に係る外壁パネルの支持金具は、建物の外壁パネルの骨格を構成すると共に天井大梁と床大梁との間に納まり建物上下方向に沿って延在する間柱を当該天井大梁及び当該床大梁に対して建物上下方向に離間して配置されるように支持し、当該間柱に沿って延在する支持部と、前記支持部に一体に設けられ、前記間柱の上方側又は下方側に配置されると共に前記天井大梁又は前記床大梁における屋外側に面する固定面部に固定される固定部と、を有している。
【０００７】
請求項２に記載の発明に係る外壁パネルの支持金具は、請求項１に記載の発明において、前記支持部は、前記外壁パネルとその厚さ方向に対向する正面壁部と、当該正面壁部の側縁部に直交して一体に設けられた側壁部と、を含んで当該支持部における前記固定部側を構成する補強部と、当該側壁部から当該固定部と反対側に延出し、前記間柱の端部に取り付けられる脚部と、を有している。
【０００８】
請求項３に記載の発明に係る外壁パネルの支持金具は、請求項１又は請求項２に記載の発明において、前記固定部は、前記固定面部に面接触した状態で配置される固定壁部と、前記支持部の当該固定部側の端部に接合された支持部側壁部と、当該固定壁部及び当該支持部側壁部の前記外壁パネルの幅方向における端部に接合された補強壁部と、を含んで構成されている。
【０００９】
請求項４に記載の発明に係る外壁パネルの支持金具は、請求項１に記載の発明において、前記支持部は、前記外壁パネルの厚さ方向に対向する正面壁部と、当該正面壁部の側縁部に直交して一体に設けられた一対の側壁部と、を含んで平断面視でコ字状に形成され、当該支持部における前記固定部側を構成する補強部と、当該側壁部から当該固定部と反対側に延出し、前記間柱の端部を挟持する一対の脚部と、を有すると共に、前記固定部は、前記固定面部に面接触した状態で配置される固定壁部と、前記支持部の当該固定部側の端部に接合された支持部側壁部と、当該固定壁部及び当該支持部側壁部の前記外壁パネルの幅方向における端部に接合された一対の補強壁部と、を含んで構成されている。
【００１０】
請求項５に記載の発明に係る外壁パネルの支持金具は、請求項１に記載の発明において、前記外壁パネルの厚さ方向に対向する正面壁部と、当該正面壁部の何れか一方の側縁部に直交して一体に設けられた側壁部と、を含んで平断面視でＬ字状に形成され、当該支持部における前記固定部側を構成する補強部と、当該側壁部から当該固定部と反対側に延出し、前記間柱の端部に取り付けられる脚部と、を有すると共に、前記固定部は、前記固定面部に面接触した状態で配置される固定壁部と、前記支持部の当該固定部側の端部に接合された支持部側壁部と、当該固定壁部及び当該支持部側壁部における当該側壁部側の端部に接合された補強壁部と、を含んで構成されている。
【００１１】
請求項６に記載の発明に係る建物の外壁構造は、前記外壁パネルの裏面側に当該外壁パネルの幅方向に所定の間隔をあけて配置された複数の前記間柱と、複数の前記間柱の上端部及び下端部にそれぞれ設けられ、前記支持部によって当該間柱を前記天井大梁及び前記床大梁に対して建物上下方向に離間して配置されるように支持すると共に、前記固定部が当該天井大梁又は当該床大梁の前記固定面部に固定された請求項１〜請求項５の何れか１項に記載の外壁パネルの支持金具と、前記天井大梁、前記床大梁及び前記間柱のうち少なくとも１つからの伝熱を抑制する伝熱抑制手段と、を有している。
【００１２】
請求項７に記載の発明に係る建物の外壁構造は、請求項６に記載の発明において、前記外壁パネルの当該外壁パネルの幅方向における端部以外の部分に配置された前記間柱の上端部と当該間柱の下端部とには請求項４記載の支持金具が設けられている。
【００１３】
請求項８に記載の発明に係る建物の外壁構造は、請求項６又は請求項７に記載の発明において、隣接した前記外壁パネルのうち一方の前記外壁パネルにおける他方の前記外壁パネル側の端部に配置された前記間柱の上端部と当該他方の前記外壁パネルにおける当該一方の前記外壁パネル側の端部に配置された前記間柱の下端部とには請求項５に記載の第１の支持金具が設けられると共に、当該他方の前記外壁パネルにおける当該一方の前記外壁パネル側の端部に配置された前記間柱の上端部と当該一方の前記外壁パネルにおける当該他方の前記外壁パネル側の端部に配置された前記間柱の下端部とには請求項５に記載の第２の支持金具が設けられており、当該第２の支持金具は、当該一方の前記外壁パネルと当該他方の前記外壁パネルとの境界に対して当該第１の支持金具と対称に構成されている。
【００１４】
請求項９に記載の発明に係る建物の外壁構造は、請求項６〜請求項８の何れか１項に記載の発明において、前記支持金具における前記支持部が、前記固定面部に対して屋外側に所定の間隔をあけて配置されると共に、前記伝熱抑制手段は、前記固定面部と前記支持部との間に配設された断熱材を含んで構成されている。
【００１５】
請求項１０に記載の発明に係る建物の外壁構造は、請求項６〜請求項９の何れか１項に記載の発明において、前記伝熱抑制手段は、前記天井大梁及び前記床大梁よりも熱伝導率の小さい部材から成る複数の前記間柱を含んで構成されている。
【００１６】
請求項１１に記載の発明に係る建物の外壁構造は、請求項６〜請求項１０の何れか１項に記載の発明において、前記伝熱抑制手段は、前記固定面部と前記固定部との間に介在する断熱材を含んで構成されている。
【００１７】
請求項１２に記載の発明に係る建物の外壁構造は、請求項６〜請求項１１の何れか１項に記載の発明において、前記建物の躯体を構成する柱に当該柱と近接して配置された前記間柱を取り付ける取付手段を有している。
【００１８】
請求項１に記載の本発明によれば、外壁パネルの骨格を構成すると共に天井大梁と床大梁との間に納まり建物上下方向に沿って延在する間柱を、支持部によって当該天井大梁及び当該床大梁に対して建物上下方向に離間して配置されるように支持することができる。このため、間柱と床大梁及び天井大梁との接触面積を少なくすることができ、その結果、当該間柱と当該床大梁及び当該天井大梁との間の熱の移動を抑制することができる。
【００１９】
ここで、本発明では、支持部が間柱に沿って延在すると共に、当該支持部に一体的に設けられた固定部を、当該間柱の上方側又は下方側に配置し、天井大梁又は床大梁における屋外側に面する固定面部に固定することができる。このため、支持部における外壁パネルの自重が作用する方向と当該支持部の延在方向が一致し、当該支持部に曲げ応力が発生するのを抑制することができ、その結果、間柱ひいては外壁パネルにおける当該外壁パネルの自重の影響を抑制することができる。
【００２０】
請求項２に記載の本発明によれば、支持部は、外壁パネルの厚さ方向に対向する正面壁部と、当該正面壁部の側縁部に直交して一体に設けられた側壁部と、を含んで当該支持部における固定部側を構成する補強部を有している。これにより、支持部の剛性を向上させることができる。また、補強部の側壁部から固定部と反対側に脚部が延出しており、当該脚部に間柱の端部を取り付けることができる。これにより、間柱の外壁パネルの厚さ方向における寸法誤差及び取付誤差を吸収することができる。
【００２１】
請求項３に記載の本発明によれば、固定部が固定壁部及び支持部側壁部の外壁パネルの幅方向の端部に接合された補強壁部によって補強されると共に、当該固定部を固定壁部が固定面部に面接触した状態で当該固定面部に配置することができる。このため、固定部の剛性を向上させることができると共に、当該固定部を固定面部に安定して取り付けることができる。
【００２２】
請求項４に記載の本発明によれば、支持部は、外壁パネルの厚さ方向に対向する正面壁部と、当該正面壁部の側縁部に直交して一体に設けられた一対の側壁部と、を含んで平断面視でコ字状に形成され、当該支持部における固定部側を構成する補強部を有している。これにより、支持部の剛性を向上させることができる。また、補強部の側壁部から当該固定部と反対側に一対の脚部が延出しており、当該脚部によって間柱の端部を挟持することができる。これにより、間柱を安定して支持部に取り付けることができると共に、間柱の外壁パネルの厚さ方向における寸法誤差及び取付誤差を吸収することができる。
【００２３】
また、本発明によれば、固定部が固定壁部及び支持部側壁部の外壁パネルの幅方向の端部に接合された一対の補強壁部によって補強されると共に、当該固定部を固定壁部が固定面部に面接触した状態で当該固定面部に配置することができる。このため、固定部の外壁パネルの幅方向における両端部の剛性を向上させることができると共に、当該固定部を固定面部に安定して取り付けることができる。
【００２４】
請求項５に記載の本発明によれば、支持部は、外壁パネルの厚さ方向に対向する正面壁部と、当該正面壁部の側縁部に直交して一体に設けられた側壁部と、を含んで平断面視でＬ字状に形成され、当該支持部における固定部側を構成する補強部を有している。これにより、支持部の剛性を向上させることができる。また、補強部の側壁部から固定部と反対側に脚部が延出しており、当該脚部に間柱の端部を取り付けることができる。これにより、間柱の外壁パネルの厚さ方向における寸法誤差及び取付誤差を吸収することができる。
【００２５】
また、本発明によれば、固定部が固定壁部及び支持部側壁部における支持部の側壁部側の端部に接合された補強壁部によって補強されると共に、当該固定部を固定壁部が固定面部に面接触した状態で当該固定面部に配置することができる。このため、固定部における支持部の側壁部側の端部の剛性を向上させることができると共に、当該固定部を固定面部に安定して取り付けることができる。
【００２６】
請求項６に記載の本発明によれば、複数の間柱が、外壁パネルの裏面側に当該外壁パネルの幅方向に所定の間隔をあけて配置されている。このため、複数の間柱を用いて外壁パネルを建物躯体に対して固定することができる。
【００２７】
ここで、本発明では、複数の間柱の上端部及び下端部に、それぞれ請求項１〜請求項５の何れか１項に記載の外壁パネルの支持金具が設けられている。そして、支持金具における間柱に沿って延在する支持部によって、当該間柱が天井大梁及び床大梁に対して建物上下方向に離間して配置されるように支持されると共に、当該支持金具の固定部が当該天井大梁又は当該床大梁の固定面部に固定されている。このため、複数の間柱と床大梁及び天井大梁との間の熱の移動が抑制されると共に、外壁パネルが当該外壁パネルの自重の影響を受けることが抑制される。さらに、伝熱抑制手段によって、天井大梁、床大梁及び間柱のうち少なくとも１つからの伝熱が抑制される。
【００２８】
請求項７に記載の本発明によれば、外壁パネルの当該外壁パネルの幅方向における端部以外の部分に配置された間柱の上端部と当該間柱の下端部とには請求項４記載の支持金具が設けられている。このため、外壁パネルの当該外壁パネルの幅方向における端部以外の部分に配置された間柱を安定して支持部に取り付けることができると共に、当該間柱の外壁パネルの厚さ方向における寸法誤差及び取付誤差を吸収することができる。また、固定部が一対の補強壁部によって補強されており、当該固定部の外壁パネルの幅方向における両端部の剛性を向上させ、当該固定部を固定面部に安定して取り付けることができる。
【００２９】
請求項８に記載の本発明によれば、請求項５に記載の第１の支持金具及び第２の支持金具が、一方の外壁パネルと他方の外壁パネルとの境界に対して対称に構成されている。また、第１の支持金具及び第２の支持金具は、一方の外壁パネルにおける他方の外壁パネル側の端部に配置された間柱及び当該他方の外壁パネルにおける当該一方の外壁パネル側の端部に配置された間柱の建物上下方向の端部に設けられている。このため、一方の外壁パネルにおける他方の外壁パネル側の端部に配置された間柱と他方の外壁パネルにおける一方の外壁パネル側の端部に配置された間柱とを当接させた状態で一方の外壁パネル及び他方の外壁パネルを固定することができる。
【００３０】
請求項９に記載の本発明によれば、天井大梁及び床大梁の固定面部と支持金具の支持部との間に断熱材が配設されている。これにより、天井大梁及び床大梁の固定面部を断熱材によって覆うことができる。
【００３１】
請求項１０に記載の本発明によれば、複数の間柱が天井大梁及び床大梁よりも熱伝導率の小さい部材で構成されている。これにより、天井大梁及び床大梁の温度変化の影響による間柱の温度変化が抑制される。
【００３２】
請求項１１に記載の本発明によれば、天井大梁及び床大梁の固定面部と外壁パネルの支持金具の固定部との間に断熱材が介在している。これにより、天井大梁及び床大梁から支持金具への伝熱が抑制され、ひいては天井大梁及び床大梁から間柱への伝熱が抑制される。
【００３３】
請求項１２に記載の本発明によれば、建物の躯体を構成する柱に近接する外壁パネルを当該柱にも固定することができる。
【発明の効果】
【００３４】
以上説明したように、請求項１に記載の本発明に係る外壁パネルの支持金具では、建物の断熱性を向上させつつ外壁パネルを安定して支持することができるという優れた効果を有する。
【００３５】
請求項２に記載の本発明に係る外壁パネルの支持金具では、間柱に対する支持剛性の向上と間柱の取付性の向上の両立を図ることができるという優れた効果を有する。
【００３６】
請求項３に記載の本発明に係る外壁パネルの支持金具では、間柱に対する支持剛性の向上と間柱の取付安定性の向上の両立を図ることができるという優れた効果を有する。
【００３７】
請求項４に記載の本発明に係る外壁パネルの支持金具では、間柱に対する支持剛性の向上、間柱の取付性の向上及び間柱の取付安定性の向上を図ることができるという優れた効果を有する。
【００３８】
請求項５に記載の本発明に係る外壁パネルの支持金具では、間柱に対する支持剛性の向上、間柱の取付性の向上及び間柱の取付安定性の向上を図ることができるという優れた効果を有する。
【００３９】
請求項６に記載の本発明に係る建物の外壁構造では、建物の断熱性を向上させつつ外壁パネルを安定して支持することができるという優れた効果を有する。
【００４０】
請求項７に記載の本発明に係る建物の外壁構造では、外壁パネルの当該外壁パネルの幅方向における端部以外の部分に配置された間柱に対する支持剛性の向上、取付性の向上及び取付安定性の向上を図ることができるという優れた効果を有する。
【００４１】
請求項８に記載の本発明に係る建物の外壁構造では、複数の外壁パネルを連続して一体的に配置することができるという優れた効果を有する。
【００４２】
請求項９に記載の本発明に係る建物の外壁構造では、天井大梁及び床大梁による熱橋を抑制することができるという優れた効果を有する。
【００４３】
請求項１０に記載の本発明に係る建物の外壁構造では、間柱による熱橋を抑制することができるという優れた効果を有する。
【００４４】
請求項１１に記載の本発明に係る建物の外壁構造では、天井大梁及び床大梁からの伝熱による間柱の熱橋を抑制することができるという優れた効果を有する。
【００４５】
請求項１２に記載の本発明に係る建物の外壁構造では、建物の躯体を構成する柱に近接する外壁パネルの支持剛性を向上させることができるという優れた効果を有する。
【図面の簡単な説明】
【００４６】
【図１】本実施形態に係る建物の外壁構造を示す斜視図である。
【図２】本実施形態に係る建物の天井部及び床部の構造を示す拡大断面図（図１の２−２線に沿って切断した状態を示す断面図）である。
【図３】本実施形態に係る外壁パネルの支持金具と間柱との関係を示す拡大正面図（図６の破線Ｘで囲まれた部分の拡大正面図）である。
【図４】本実施形態に係る外壁パネルの支持金具と間柱との関係を示す拡大上面図（図３の４方向矢視図）である。
【図５】本実施形態に係る連結部材と間柱との関係を示す拡大斜視図（図１の５方向矢視図）である。
【図６】本実施形態に係る建物を構成する建物ユニットを示す斜視図である。
【図７】本実施形態に係る建物を示す斜視図である。
【図８】本実施形態に係る外壁パネルの境界部における支持金具と間柱との関係を示す拡大正面図（図６の破線Ｙで囲まれた部分の拡大正面図）である。
【図９】本実施形態に係る外壁パネルの支持金具と間柱との関係を示す拡大上面図（図８の９方向矢視図）である。
【図１０】本実施形態に係る外壁パネルの境界部における連結部材と間柱との関係を示す拡大斜視図（図１の１０方向矢視図）である。
【図１１】本実施形態に係る建物における窓が設けられた箇所の外壁構造を示す正面図である。
【発明を実施するための形態】
【００４７】
以下、図１〜図１１を用いて、本発明に係る外壁パネルの支持金具及びこれを備えた建物の外壁構造が適用された建物の一例について説明する。
【００４８】
まず、本実施形態に係る建物の全体構造について説明する。図６及び図７に示されるように、本実施形態に係る建物１０は、基礎１２上に複数個の下階側の建物ユニット１４を据え付けた後に、当該下階側の建物ユニット１４上に複数個の上階側の建物ユニット１６を据え付けることにより構成されている。
【００４９】
次に、建物ユニット１４を例にとって、当該建物ユニット１４の躯体を構成する躯体フレーム１８の構成について説明する。この躯体フレーム１８は、図２に一部示されるように、四隅に立設された図示しない柱と、柱の上端部同士を連結する天井フレーム２０と、柱の下端部同士を連結する床フレーム３０と、によって構成されている。天井フレーム２０は、溝形鋼によって構成された天井大梁２２と当該天井大梁２２よりも短い図示しない天井大梁とが矩形枠状に配置されると共に、天井大梁２２の間に複数の図示しない天井小梁が所定の間隔で架け渡されることにより構成されている。また、床フレーム３０も天井フレーム２０と同様の構成とされており、溝形鋼によって構成された床大梁３２と当該床大梁３２よりも短い図示しない床大梁とが矩形枠状に配置されて構成されている。そして、天井フレーム２０の下方側に天井下地材２６と天井板としての天井材２８とを含んで天井部２４が構成されると共に、床フレーム３０の上方側に床下地材３６と床板としての床材３８とを含んで床部３４が構成されている。
【００５０】
天井部２４の構成についてより詳しく説明すると板材で構成された天井下地材２６が、開口側を建物内側とされて配置された天井大梁２２の下側フランジ部２２Ａに当接状態で配設されている。そして、天井下地材２６の下面部に、矩形平板状の天井材２８が、当該天井材２８の屋外側端部が当該下面部の屋外側端部から建物内側に所定距離離間された状態で、建物ユニット１４の長手方向に沿って所定枚数敷設されている。なお、天井材２８の仕上げ面には、図示しない天井仕上げ用の天井クロスが張られている。
【００５１】
一方、床部３４は、矩形断面の角材で形成された床下地材３６が、開口側を建物内側とされて配置された床大梁３２の上側フランジ部３２Ａに、当該上側フランジ部３２Ａと当接状態で配設されている。そして、床下地材３６の上面部に、矩形平板状の床材３８が、当該床材３８の屋外側端部が当該上面部の屋外側端部から建物内側に所定距離離間された状態で、建物ユニット１４の長手方向に沿って所定枚数敷設されることにより床部３４が構成されている。なお、床材３８の仕上げ面には、図示しない床仕上げ材が敷設されている。
【００５２】
そして、天井大梁２２及び床大梁３２には、図６にも示されるように、外壁パネル４２及び後述する外壁パネル９４が建物１０の外周面に沿って並べて取り付けられており、建物１０の外壁４０の一部を構成している。ここで、本実施形態では、一例として、外壁パネル４２及び外壁パネル９４に本実施形態に係る建物の外壁構造が適用されている。以下、本発明の要部である建物の外壁構造の構成について詳細に説明する。
【００５３】
図１〜図４に示されるように、外壁パネル４２は、矩形平板状の外壁材４４が、外壁フレーム４６に建物上下方向に延在する四角筒上の鋼材で構成された通気胴縁８０を介してビス等によって固定されることにより構成されている。外壁フレーム４６は、一例として、１枚の外壁材４４に対して、５本の間柱４８、４つの支持金具５０、第１の支持金具としての支持金具１１０、第２の支持金具としての支持金具１１６及び２つの連結部材６４を含んで構成されている。
【００５４】
間柱４８は、建物上下方向に沿って延在する角柱状の木材で構成されており、その外壁パネル４２の幅方向（建物ユニット１４の長手方向）の幅が、その外壁パネル４２の厚さ方向（建物ユニット１４の短手方向）の幅よりも小さい長さに設定されている。なお、天井大梁２２及び床大梁３２は、鋼材によって構成されているため、鋼材（鉄）よりも熱伝導率が小さい木材で構成された間柱４８は、伝熱抑制手段として機能する。この間柱４８の建物上下方向の長さは、天井大梁２２の下側フランジ部２２Ａから床大梁３２の上側フランジ部３２Ａまでの距離から天井部２４を構成する部材の厚み及び床部３４を構成する部材の厚みを除いた長さよりも短い長さに設定されている。また、間柱４８は、平面視で外壁パネル４２の厚さ方向中央部から屋内側の部分が天井大梁２２及び床大梁３２と重なるように天井大梁２２と床大梁との間に納まっている。換言すれば、間柱４８の外壁パネル４２の厚さ方向中央部から屋外側の部分は、天井大梁２２の固定面部としてのウェブ部２２Ｂ及び床大梁３２の固定面部としてのウェブ部３２Ｂよりも屋外側に突出されている。
【００５５】
これらの間柱４８は、２本１組とされて外壁パネル４２の屋内側（裏面側）に当該外壁パネル４２の幅方向に所定の間隔をあけて（等間隔で）配置されている。より詳しくは、外壁フレーム４６における外壁パネル９４と反対側の部分及び当該外壁フレーム４６における外壁パネル４２の幅方向中央部には、２本ずつ間柱４８が配置されている。一方、外壁フレーム４６における外壁パネル９４側の端部には、間柱４８が１本だけ配置されており、当該間柱４８は、外壁パネル９４における外壁パネル４２側の端部に配置された間柱４８と対になっている。また、２本１組とされた間柱４８間には、図３に一部示されるように、建物上下方向に所定の間隔をあけて複数の横桟８２が架け渡されている。そして、複数の間柱４８の上端部４８Ａ同士及び下端部４８Ｂ同士は、それぞれ連結部材６４によって外壁パネル４２の幅方向に連結されている。
【００５６】
図１及び図２に示されるように、連結部材６４は、縦断面形状がＬ字状に形成された鋼材によって構成されている。より具体的には、連結部材６４は、複数の間柱４８の上端部４８Ａ同士又は下端部４８Ｂ同士に架け渡された平面部６４Ａと、当該平面部６４Ａの屋外側の端部から当該平面部６４Ａに対して直交する方向に延出された縦壁部６４Ｂとを含んで構成されている。縦壁部６４Ｂは、外壁パネル４２の幅方向に延在し、その建物上下方向における平面部６４Ａと反対側の端部が、屋外側から見て天井大梁２２の下方側又は床大梁３２の上方側と重なるように、その建物上下方向の長さが設定されている。
【００５７】
一方、平面部６４Ａは、建物上下方向に直交して外壁パネル４２の幅方向に延在している。この平面部６４Ａの外壁パネル４２の厚さ方向の長さは、平面視で間柱４８の屋内側の端部から屋外側へ所定距離オフセットされた位置から天井大梁２２のウェブ部２２Ｂ又は床大梁３２のウェブ部３２Ｂまでの長さに設定されている。
【００５８】
また、図５（図１の５方向矢視図）に示されるように、平面部６４Ａにおける平面視で１組の間柱４８の上端部４８Ａと重なる部分には、当該上端部４８Ａ側に凹となる凹部６６が、一例として、４つ設けられている。さらに、凹部６６における底面部６６Ａの中心部には、図示しない取付孔が設けられており、当該取付孔からビス６８が１組の間柱４８のそれぞれの上端部４８Ａに２本ずつ螺入されることにより、連結部材６４が間柱４８に取り付けられている。これらの凹部６６の深さは、ビス６８の頭を収容するのに十分な深さに設定されている。なお、図５では、間柱４８の上端部４８Ａと連結部材６４との関係が理解しやすいように、天井大梁２２等を図示していない。また、連結部材６４の間柱４８における下端部４８Ｂへの取付状態は、図５に示されるものと同様である。そして、上記のように連結された、複数の間柱４８は、図１に示されるように、支持金具５０、１１０、１１６によって、その上端部４８Ａが天井大梁２２に固定されると共に、その下端部４８Ｂが床大梁３２に固定されている。
【００５９】
支持金具５０は、間柱４８の長手方向に延在すると共に、当該間柱４８の上端部４８Ａ又は下端部４８Ｂを支持する支持部５２と、天井大梁２２のウェブ部２２Ｂ又は床大梁３２のウェブ部３２Ｂに固定される固定部５４とを含んで一体に構成されている。
【００６０】
図３及び図４に示されるように、支持部５２は、平断面視で屋内側が開放されたコ字状に形成された補強部５２Ａと、一対の脚部５２Ｂとを含んで構成されている。補強部５２Ａは、外壁パネル４２の厚さ方向に対向する正面壁部５２Ｃと、当該正面壁部５２Ｃの側縁部５２Ｃ１に直交して一体に設けられた一対の側壁部５２Ｄとを含んで構成されている。
【００６１】
一方、脚部５２Ｂは、一対の側壁部５２Ｄが固定部５４と反対側に延出されて形成されている。また、図２にも示されるように、側壁部５２Ｄ及び脚部５２Ｂには、当該側壁部５２Ｄと当該脚部５２Ｂの境界部よりも固定部５４側に所定距離オフセットされた位置を始点として建物下方側に等間隔で５つの取付孔５６が形成されている。これらの取付孔５６は、外壁パネル４２の幅方向から見て支持部５２の長手方向の中心線に沿って配置されており、最も固定部５４側に形成された取付孔５６を除いて間柱４８の固定に用いられている。そして、取付孔５６からビス（取付部材）５８が間柱４８に螺入されることにより支持金具５０が当該間柱４８に取り付けられている。なお、支持金具５０が間柱４８に取り付けられた状態において、間柱４８の上端部４８Ａ又は下端部４８Ｂは、支持金具５０の脚部５２Ｂと補強部５２Ａとの境界部よりも脚部５２Ｂ側に所定距離オフセットされた状態とされている。
【００６２】
また、間柱４８に支持金具５０が取り付けられた状態において、間柱４８の屋外側の面４８Ｃは、支持金具５０における支持部５２の正面壁部５２Ｃと同一平面上に配置されている。換言すれば、間柱４８の上端部４８Ａ又は下端部４８Ｂにおける屋外側の部分に支持金具５０の支持部５２が取り付けられている。
【００６３】
一方、固定部５４は、屋外側及び支持部５２の反対側が開放された箱状に形成されている。より詳しくは、固定部５４は、固定壁部５４Ａと、支持部５２の固定部５４側の端部に接合された支持部側壁部５４Ｂと、固定壁部５４Ａ及び支持部側壁部５４Ｂの外壁パネル４２の幅方向の端部に接合された一対の補強壁部５４Ｃとを含んで構成されている。また、固定部５４は、その外壁パネル４２の厚さ方向の長さ（支持部側壁部５４Ｂにおける外壁パネル４２の厚さ方向の長さ）が、一例として、支持部５２における外壁パネル４２の厚さ方向の長さの２倍程度に設定されている。そして、固定部５４における支持部側壁部５４Ｂの屋外側でかつ当該支持部側壁部５４Ｂにおける外壁パネル４２の厚さ方向の中心線上に支持部５２が配置されている。なお、固定部５４の支持部側壁部５４Ｂの屋外側の端部と支持部５２の正面壁部５２Ｃとは同一平面上に配置されており、換言すれば、支持部５２は、固定壁部５４Ａに対して屋外側にオフセットして配置されている。
【００６４】
固定部５４の固定壁部５４Ａは、支持金具５０が天井大梁２２又は床大梁３２に固定された状態において、天井大梁２２のウェブ部２２Ｂ又は床大梁３２のウェブ部３２Ｂに面接触されている。また、固定壁部５４Ａには、当該固定壁部５４Ａにおける外壁パネル４２の幅方向の中心線上に所定の間隔をあけて取付孔５９が形成されている。一方、天井大梁２２のウェブ部２２Ｂにおける上方側及び床大梁３２のウェブ部３２Ｂにおける下方側には、固定壁部５４Ａの取付孔５９に対応するウエルドナット６０が設けられている。そして、固定壁部５４Ａの取付孔５９の屋外側からボルト６２が当該取付孔に挿通されると共にウエルドナット６０に螺合されることにより、支持金具５０が、天井大梁２２又は床大梁３２に固定され、ひいては間柱４８が躯体フレーム１８に固定されている。
【００６５】
また、図２にも示されるように、固定部５４の外壁パネル４２の幅方向から見た形状は、固定壁部５４Ａの取付孔５９の軸線に対して対称となるように設定されている。さらに、固定部５４は、支持金具５０が天井大梁２２又は床大梁３２に固定された状態において、当該天井大梁２２の上方側又は当該床大梁３２の下方側に突出しないようにその形状が設定されている。
【００６６】
なお、固定部５４における外壁パネル４２の厚さ方向の長さは、一例として、間柱４８における外壁パネル４２の厚さ方向の長さの半分程度とされている。また、上述したように、固定部５４における外壁パネル４２の厚さ方向の長さは、支持部５２における外壁パネル４２の厚さ方向の長さの２倍程度に設定されている。つまり、支持部５２と固定部５４が固定される天井大梁２２のウェブ部２２Ｂ又は床大梁３２のウェブ部３２Ｂとの間隙寸法は、間柱４８における外壁パネル４２の厚さ方向の長さの４分の１程度に設定されている。
【００６７】
一方、上述した通気胴縁８０は、屋外側から見て支持金具５０の建物上下方向に沿う中心線に対して対称となるように配置されると共に、図示しないネイル等の取付部材によって、支持金具５０の支持部５２及び間柱４８に取り付けられている。また、通気胴縁８０の長さは、天井大梁２２の上側フランジ部２２Ｃから床大梁３２の下側フランジ部３２Ｃまでの距離に設定されている。
【００６８】
次に、図８及び図９を用いて、外壁フレーム４６における外壁パネル９４側の端部に配置された間柱４８を支持する支持金具１１０、１１６の構成について説明する。これらの支持金具１１０、１１６は、支持金具５０が建物上下方向に沿う中心線で分割された一方の部材又は他方の部材であり、換言すれば、支持金具１１０、１１６は、互いに建物上下方向に対して対称形状とされている。また、支持金具１１０は、支持金具５０と同様に、支持部１１２と固定部１１４とを含んで構成されており、当該支持部１１２における補強部１１２Ａは、正面壁部５２Ｃと側壁部５２Ｄとを含んで平断面視でＬ字状に構成されている。なお、支持金具１１６も同様に、支持部１１８と固定部１２０とを含んで構成されており、当該支持部１１８における補強部１１８Ａが平断面視でＬ字状に構成されている。
【００６９】
そして、図１にも示されるように、外壁フレーム４６における外壁パネル９４側の端部に配置された間柱４８の上端部４８Ａには、支持金具１１０が取り付けられており、当該間柱４８の下端部４８Ｂには、支持金具１１６が取り付けられている。一方、外壁パネル９４における外壁パネル４２側の端部に配置された間柱４８の上端部４８Ａには、支持金具１１６が取り付けられており、当該間柱４８の下端部４８Ｂには、支持金具１１０が取り付けられている。これにより、外壁パネル４２及び外壁パネル９４の取付状態において、外壁フレーム４６における外壁パネル９４側の端部に配置された間柱４８と外壁パネル９４における外壁パネル４２側の端部に配置された間柱４８とが面接触された状態で当接されている。なお、支持金具１１０、１１６は、天井大梁２２、床大梁３２及び間柱４８に支持金具５０と同様に取り付けられている。また、外壁パネル４２の外壁材４４と外壁パネル９４の外壁材９５との接合部には、定型シール材９７が設けられている。
【００７０】
また、図１０（図１の１０方向矢視図）に示されるように、連結部材６４は、外壁パネル４２と外壁パネル９４との境界で分割されており、連結部材６４における平面部６４Ａの互いに対向する端部に２つずつ凹部６６が設けられている。そして、凹部６６の取付孔からビス６８が１組の間柱４８のそれぞれの上端部４８Ａに２本ずつ螺入されることにより、連結部材６４が間柱４８に取り付けられている。
【００７１】
一方、図１１を用いて外壁パネル９４の構成について説明すると、当該外壁パネル９４は、上述した外壁パネル４２と基本的に同様の構成とされているものの、窓９０が設けられるように外壁フレーム９６が構成されている点で異なっている。
【００７２】
具体的には、外壁フレーム９６における窓９０の周辺部は、間柱４８と長さのみが異なる上側間柱９８及び下側間柱１００と、窓９０のサッシフレーム９２を固定する図示しないフレーム下地木と、連結部材１０２とを含んで構成されている。
【００７３】
上側間柱９８は、下側間柱１００よりも短い長さに設定されている。そして、上側間柱９８の下端部９８Ａ同士及び下側間柱１００の上端部１００Ａ同士が連結部材１０２によってそれぞれ外壁パネル９４の幅方向（建物ユニット１４の長手方向）に連結されている。この連結部材１０２は、建物ユニット１４の建物上下方向に直交する方向に延在しかつ上側間柱９８の下端部９８Ａ同士又は下側間柱１００の上端部１００Ａ同士に架け渡されるように配置された矩形板状の木材で構成されている。そして、連結部材１０２は、ネイル等の図示しない取付手段によって、その取付面１０２Ａが、上側間柱９８の下端部９８Ａ又は下側間柱１００の上端部１００Ａに面接触状態で取り付けられている。
【００７４】
また、上側間柱９８及び下側間柱１００は、連結部材１０２の外壁パネル９４の幅方向における両端部及び中央部に配置されている。これらの上側間柱９８及び下側間柱１００のうち、連結部材１０２の外壁パネル９４の幅方向における両端部に配置されたものは、２本１組とされて支持金具５０によって躯体フレーム１８に固定されている。より詳しくは、上側間柱９８の上端部９８Ｂが天井大梁２２に固定され、下側間柱１００の下端部１００Ｂが床大梁３２に固定されている。一方、連結部材１０２における外壁パネル９４の幅方向の中央部には、上側間柱９８及び下側間柱１００が１本ずつ配置されている。そして、上側間柱９８の上端部９８Ｂが支持金具１１６によって天井大梁２２に固定され、下側間柱１００の下端部１００Ｂが支持金具１１０によって床大梁３２に固定されている。このため、連結部材１０２における外壁パネル９４の幅方向の中央部が補強されている。
【００７５】
一方、上側間柱９８の下端部９８Ａ同士を連結する連結部材１０２と下側間柱１００の上端部１００Ａ同士を連結する連結部材１０２との間すなわちスペース１０４には、フレーム下地木が矩形枠状に配置されている。このフレーム下地木に、サッシフレーム９２のフランジ部９２Ａが、ビス等の図示しない取付手段によって取り付けられることにより、窓９０が外壁フレーム９６に固定されている。なお、フレーム下地木の外壁パネル９４の幅方向両側には、当該フレーム下地木、上側間柱９８及び下側間柱１００に当接状態で、間柱４８と長さのみが異なる補強部材１２２が配置されている。また、外壁フレーム９６における外壁パネル９４の幅方向両側の端部には、上述したように、間柱４８が配置されている。
【００７６】
上記構成の外壁パネル４２、９４では、図１及び図２に示されるように、支持金具５０、１１０、１１６の支持部５２、１１２、１１８と天井大梁２２との間、当該支持部５２、１１２、１１８と床大梁３２との間にスペース７０が形成されている。そして、スペース７０にグラスウール等で構成された伝熱抑制手段としての断熱材７２が配設されている。なお、支持金具５０、１１０、１１６の支持部５２、１１２、１１８における補強部５２Ａ、１１２Ａ、１１８Ａにも図示しない断熱材が詰め込まれている。
【００７７】
また、天井大梁２２のウェブ部２２Ｂ及び床大梁３２のウェブ部３２Ｂと支持金具５０、１１０、１１６の固定部５４、１１４、１２０との間には、グラスウール等でシート状に構成された伝熱抑制手段としての図示しない断熱材が介在している。
【００７８】
さらに、天井大梁２２の下側フランジ部２２Ａと連結部材６４の平面部６４Ａとの間には、スペース７４が形成されており、当該スペース７４に天井部２４の屋外側の部分が配置されている。
【００７９】
一方、床大梁３２の上側フランジ部３２Ａと連結部材６４の平面部６４Ａとの間にも外壁パネル４２、９４の幅方向に延在するスペース７８が形成されており、当該スペース７８に床部３４の屋外側の部分が配置されている。さらに、連結部材６４は、外壁パネル４２が組み付けられた状態において、その平面部６４Ａが面接触した状態で床部３４を構成する床材３８（床地上げ材）上に載置されている。
【００８０】
なお、躯体フレーム１８を構成する柱に最も近接して配置された間柱４８すなわち外壁パネル４２における外壁パネル９４と反対側の端部に配置された間柱４８は、当該柱に図示しない取付手段としてのＬ字金具によって固定されている。
【００８１】
＜本実施形態の作用及び効果＞
次に、本実施形態の作用並びに効果を説明する。
【００８２】
本実施形態では、図１及び図２に示されるように、間柱４８、９８、１００が、外壁パネル４２、９４の幅方向に所定の間隔をあけて配置され、天井大梁２２と床大梁３２との間に納まり建物上下方向に沿って延在している。これにより、外壁パネル４２、９４の骨格が構成され、外壁パネル４２、９４を躯体フレーム１８に固定することができる。そして、間柱４８、９８、１００が、支持金具５０、１１０、１１６の支持部５２、１１２、１１８によって当該天井大梁２２及び当該床大梁３２に対して建物上下方向に離間して配置されるように支持されている。このため、間柱４８、９８、１００と天井大梁２２及び床大梁３２との接触面積を少なくすることができ、その結果、当該間柱４８、９８、１００と当該天井大梁２２及び当該床大梁３２との間の熱の移動が抑制される。
【００８３】
ここで、本実施形態では、支持金具５０、１１０、１１６の支持部５２、１１２、１１８が間柱４８、９８、１００に沿って延在している。また、支持部５２、１１２、１１８に一体的に設けられると共に当該間柱４８、９８、１００の上方側又は下方側に配置される固定部５４、１１４、１２０が、天井大梁２２又は床大梁３２における屋外側に面するウェブ部２２Ｂ、３２Ｂに固定されている。このため、支持部５２、１１２、１１８における外壁パネル４２、９４の自重が作用する方向と当該支持部５２、１１２、１１８の延在方向が一致し、当該支持部５２、１１２、１１８に曲げ応力が発生するのを抑制することができる。その結果、間柱４８、９８、１００ひいては外壁パネル４２、９４における当該外壁パネル４２、９４の自重の影響が抑制される。このように、本実施形態では、建物１０の断熱性を向上させつつ外壁パネル４２、９４を安定して支持することができる。
【００８４】
また、本実施形態では、支持金具５０、１１０、１１６の支持部５２、１１２、１１８が、当該支持部５２、１１２、１１８における固定部５４、１１４、１２０側を構成する補強部５２Ａ、１１２Ａ、１１８Ａを有している。そして、これらの補強部５２Ａ、１１２Ａ、１１８Ａは、外壁パネル４２、９４の厚さ方向に対向する正面壁部５２Ｃと、当該正面壁部５２Ｃの側縁部５２Ｃ１に直交して一体に設けられた側壁部５２Ｄと、を含んで構成されている。このため、支持部５２、１１２、１１８の剛性を向上させることができる。さらに、補強部５２Ａ、１１２Ａ、１１８Ａの側壁部５２Ｄから固定部５４、１１４、１２０と反対側に脚部５２Ｂが延出しており、当該脚部５２Ｂが間柱４８、９８、１００の端部に取り付けられている。これにより、間柱４８、９８、１００の外壁パネル４２、９４の厚さ方向における寸法誤差及び取付誤差を吸収することができる。その結果、間柱４８、９８、１００に対する支持剛性の向上と間柱４８、９８、１００の取付性の向上の両立を図ることができる。
【００８５】
また、本実施形態では、支持金具５０、１１０、１１６の固定部５４、１１４、１２０が、固定壁部５４Ａ及び支持部側壁部５４Ｂの外壁パネル４２、９４の幅方向の端部に接合された補強壁部５４Ｃによって補強されている。さらに、固定部５４、１１４、１２０は、固定壁部５４Ａが天井大梁２２のウェブ部２２Ｂ又は床大梁３２のウェブ部３２Ｂに面接触した状態で配置されている。このため、固定部５４、１１４、１２０の剛性を向上させることができると共に、当該固定部５４、１１４、１２０を天井大梁２２のウェブ部２２Ｂ又は床大梁３２のウェブ部３２Ｂに安定して取り付けることができる。その結果、間柱４８、９８、１００に対する支持剛性の向上と間柱４８、９８、１００の取付安定性の向上の両立を図ることができる。
【００８６】
また、本実施形態では、外壁パネル４２、９４の当該外壁パネル４２、９４の幅方向における端部以外の部分に配置された間柱４８、９８、１００の上端部４８Ａ、９８Ｂ、１００Ａ及び下端部４８Ｂ、９８Ａ、１００Ｂには、支持金具５０が設けられている。この支持金具５０は、その補強部５２Ａが平断面視でコ字状に形成されると共に、その脚部５２Ｂが一対で設けられている。このため、間柱４８、９８、１００に対する支持剛性がより一層向上されると共に、２本１組とされた間柱４８、９８、１００の上端部４８Ａ、９８Ｂ、１００Ａ及び下端部４８Ｂ、９８Ａ、１００Ｂを一対の脚部５２Ｂによって挟持することができる。その結果、外壁パネル４２、９４の当該外壁パネル４２、９４の幅方向における端部以外の部分に配置された間柱４８、９８、１００を安定して支持金具５０の支持部５２に取り付けることができる。また、間柱４８、９８、１００の外壁パネル４２、９４の厚さ方向における寸法誤差及び取付誤差を吸収することができる。
【００８７】
さらに、支持金具５０の固定部５４は、一対の補強壁部５４Ｃによって補強されており、当該固定部５４の外壁パネル４２、９４の幅方向における両端部の剛性を向上させることができる。その結果、固定部５４を天井大梁２２のウェブ部２２Ｂ又は床大梁３２のウェブ部３２Ｂに安定して取り付けることができる。従って、外壁パネル４２、９４の当該外壁パネル４２、９４の幅方向における端部以外の部分に配置された間柱４８、９８、１００に対する支持剛性の向上、取付性の向上及び取付安定性の向上を図ることができる。
【００８８】
また、本実施形態では、支持金具１１０及び支持金具１１６が、外壁パネル４２と外壁パネル９４との境界に対して対称に構成されている。さらに、支持金具１１０及び支持金具１１６は、外壁パネル４２における外壁パネル９４側の端部に配置された間柱４８及び外壁パネル９４における外壁パネル４２側の端部に配置された間柱４８の建物上下方向の端部に設けられている。このため、外壁パネル４２における外壁パネル９４側の端部に配置された間柱４８と外壁パネル９４における外壁パネル４２側の端部に配置された間柱４８とを当接させた状態で外壁パネル４２及び外壁パネル９４を固定することができる。その結果、複数の外壁パネル４２、９４を連続して一体的に配置することができる。
【００８９】
また、本実施形態では、天井大梁２２のウェブ部２２Ｂ及び床大梁３２のウェブ部３２Ｂと支持金具５０、１１０、１１８の支持部５２、１１２、１１８との間に断熱材７２が配設されている。これにより、天井大梁２２のウェブ部２２Ｂ及び床大梁３２のウェブ部３２Ｂを断熱材７２によって覆うことができ、その結果、天井大梁２２及び床大梁３２による熱橋を抑制することができる。
【００９０】
また、本実施形態では、複数の間柱４８、９８、１００が天井大梁２２及び床大梁３２よりも熱伝導率の小さい部材で構成されている。これにより、天井大梁２２及び床大梁３２の温度変化の影響による間柱４８、９８、１００の温度変化が抑制される。その結果、間柱４８、９８、１００による熱橋を抑制することができる。
【００９１】
また、本実施形態では、天井大梁２２のウェブ部２２Ｂ及び床大梁３２のウェブ部３２Ｂと支持金具５０、１１０、１１６の固定部５４、１１４、１２０との間に断熱材が介在している。これにより、天井大梁２２及び床大梁３２から支持金具５０、１１０、１１６への伝熱が抑制され、ひいては天井大梁２２及び床大梁３２から間柱４８、９８、１００への伝熱が抑制される。その結果、天井大梁２２及び床大梁３２からの伝熱による間柱４８、９８、１００の熱橋を抑制することができる。
【００９２】
加えて、本実施形態では、躯体フレーム１８を構成する柱に近接する外壁パネル４２をＬ字金具によって当該柱にも固定することができ、その結果、躯体フレーム１８を構成する柱に近接する外壁パネル４２の支持剛性を向上させることができる。
【００９３】
＜上記実施形態の補足説明＞
（１）  上述した実施形態では、外壁パネル４２、９４の固定に支持金具５０、１１０、１１６の３種類を用いたが、支持金具１１０、１１６の２種類で外壁パネル４２、９４を固定してもよい。なお、建物ユニット１４の壁面に外壁パネル４２や外壁パネル９４が１枚だけ取り付けられる場合には、支持金具５０のみを外壁パネル４２や外壁パネル９４の固定に用いてもよい。
【００９４】
（２）  また、上述した実施形態では、間柱４８、９８、１００を木材で構成したが、鉄よりも熱伝導率が小さくかつ間柱として十分な強度を確保できる範囲で、木材以外の材質に変更してもよい。一例として、炭素繊維強化樹脂等によって間柱４８、９８、１００を構成してもよい。
【００９５】
（３）  さらに、上述した実施形態では、支持部５２、１１２、１１８が平断面視でコ字状又はＬ字状に形成されていたが、外壁パネル４２、９４を軽量に構成できる場合には、支持部５２、１１２、１１８を矩形平板状に構成してもよい。換言すれば、正面壁部５２Ｃを設けない構成としてもよい。
【００９６】
（４）  加えて、上述した実施形態では、固定部５４、１１４、１２０に補強壁部５４Ｃが設けられていたが、外壁パネル４２、９４を軽量に構成できる場合には、補強壁部５４Ｃを設けなくてもよい。換言すれば、固定部５４、１１４、１２０をＬ形鋼等で構成してもよい。
【符号の説明】
【００９７】
１０      建物
２２      天井大梁
２２Ｂ    ウェブ部（固定面部）
３２      床大梁
３２Ｂ    ウェブ部（固定面部）
４２      外壁パネル
４８      間柱（伝熱抑制手段）
４８Ａ    上端部（間柱の上端部）
４８Ｂ    下端部（間柱の下端部）
５０      支持金具
５２      支持部
５２Ａ    補強部
５２Ｂ    脚部
５２Ｃ    正面壁部
５２Ｃ１  正面壁部の側縁部
５２Ｄ    側壁部
５４      固定部
５４Ａ    固定壁部
５４Ｂ    支持部側壁部
５４Ｃ    補強壁部
７２      断熱材（伝熱抑制手段）
９４      外壁パネル
９８      上側間柱（間柱、伝熱抑制手段）
９８Ａ    下端部（間柱の下端部）
９８Ｂ    上端部（間柱の上端部）
１００    下側間柱（間柱、伝熱抑制手段）
１００Ａ  上端部（間柱の上端部）
１００Ｂ  下端部（間柱の下端部）
１１０    支持金具（第１の支持金具）
１１２    支持部
１１２Ａ  補強部
１１４    固定部
１１６    支持金具（第２の支持金具）
１１８    支持部
１１８Ａ  補強部
１２０    固定部
【図１】
2015161090.tif 000003
【図２】
2015161090.tif 000004
【図３】
2015161090.tif 000005
【図４】
2015161090.tif 000006
【図５】
2015161090.tif 000007
【図６】
2015161090.tif 000008
【図７】
2015161090.tif 000009
【図８】
2015161090.tif 000010
【図９】
2015161090.tif 000011
【図１０】
2015161090.tif 000012
【図１１】
2015161090.tif 000013